(57)【要約】【課題】供給棚から搬送されてくる被搬送物を順次受け入れ、被搬送物に収容された内容物を取り出す取出位置で被搬送物を載置できるようにした取出棚を設けるようにしながら、特別な電気供給設備やシリンダ装置用配管設備を必要とせず、レイアウトを変更する場合の移動を簡単に行うことができる物流用棚装置を提供すること。【解決手段】取出棚３を搬送棚本体１に基端側を枢着した揺動レバー１２の先端側に取り付けることにより、取出棚３に載置した被搬送物Ｗを所定の角度傾斜させた状態で保持できるようにするとともに、供給棚２の出口位置に先端側が上方に持ち上がるように揺動可能に形成した揺動棚２１を設け、取出棚３の後端部により揺動棚２１の下面を支持することにより揺動棚２１の先端側が上方に持ち上がるようにする。【選択図】図２
2006199382.tif 000002
【特許請求の範囲】
【請求項１】
搬送棚本体に、供給棚から搬送されてくる被搬送物を順次受け入れ、被搬送物に収容された内容物を取り出す取出位置で被搬送物を載置できるようにした取出棚を設けた物流用棚装置において、前記取出棚を搬送棚本体に基端側を枢着した揺動レバーの先端側に取り付けることにより、取出棚に載置した被搬送物を所定の角度傾斜させた状態で保持できるようにするとともに、前記供給棚の出口位置に先端側が上方に持ち上がるように揺動可能に形成した揺動棚を設け、前記取出棚の後端部により揺動棚の下面を支持することにより揺動棚の先端側が上方に持ち上がるようにしたことを特徴とする物流用棚装置。
【請求項２】
搬送棚本体に、被搬送物を搬出する排出棚を設けたことを特徴とする請求項１記載の物流用棚装置。
【発明の詳細な説明】
【技術分野】
【０００１】
本発明は、物流用棚装置に関し、例えば、電機製品の組立工場において箱詰めされた電気部品を作業者が取り出して所定の組立作業をするため等に用いられる物流用棚装置に関するものである。
【背景技術】
【０００２】
従来、物流用棚装置として、例えば、箱詰めされた電気部品を組立作業者が箱から取り出し、電気部品を取り出した後の空箱を、重力を利用して所定の場所まで搬送するようにした物流用棚装置が提案されている（例えば、特許文献１参照）。
【０００３】
この物流用棚装置は、作業者に向けて下向きに傾斜する供給棚と、排出側に向けて下向きに傾斜する排出棚と、供給棚及び排出棚の傾斜に沿うように揺動可能に設けられた切替棚とを備えるようにしている。
この物流用棚装置は、切替棚が供給棚の傾斜に沿った姿勢とされた状態で被搬送物である箱を供給棚から切替棚に供給、搬送し、例えば、箱詰めされた電気部品を組立作業者が箱から取り出し、電気部品を取り出した後の空箱は、排出棚の傾斜に沿うよう揺動させた切替棚から排出棚に供給、搬送するようにしている。
【０００４】
そして、この物流用棚装置では、切替棚上に供給、搬送された箱から電気部品を組立作業者が取り出す作業中に、次の箱は供給棚に順次載置されている。したがって、搬送された箱から電気部品を組立作業者が取り出す作業中は、供給棚に載置されている箱は、切替棚へ供給、搬送されないように停止させておく必要がある。
このため、この物流用装置は、供給棚の途中に、供給棚の搬送路の搬送面から突出して箱を係止するストッパ機構を出退可能に設け、作業のタイミングに応じてこのストッパ機構を出退させるようにしている。そして、ストッパ機構の出退を制御するために、箱の到着を検出する検出器を設け、この検出器からの信号に応じてストッパ機構を駆動するシリンダ装置を設けている。
【特許文献１】実開平７−２３７１３号公報
【発明の開示】
【発明が解決しようとする課題】
【０００５】
ところで、近年の多品種少量生産等の各種生産方法に柔軟に対応するため、この種の物流用棚装置は、作業現場の状況（組立ライン）に合わせてレイアウトを変更する場合に移動するさせる必要があるが、上記従来の物流用棚装置では、箱の到着を検出する検出器等の電気的作動手段やストッパ機構を駆動するシリンダ装置等の駆動手段を用いているため、物流用棚装置の移動に対応できるような電気供給設備やシリンダ装置用配管設備が必要となり設備コストがかかるほか、電気配線や配管の取り回しが必要になってこれが作業の邪魔になり、また、これらのことから、工場内での物流用棚装置のレイアウトの変更が実質的に困難になることがあった。
【０００６】
本発明は、上記従来の物流用棚装置の有する問題点に鑑み、供給棚から搬送されてくる被搬送物を順次受け入れ、被搬送物に収容された内容物を取り出す取出位置で被搬送物を載置できるようにした取出棚を設けるようにしながら、特別な電気供給設備やシリンダ装置用配管設備を必要とせず、レイアウトを変更する場合の移動を簡単に行うことができる物流用棚装置を提供することを目的とする。
【課題を解決するための手段】
【０００７】
上記目的を達成するため、本発明の物流用棚装置は、搬送棚本体に、供給棚から搬送されてくる被搬送物を順次受け入れ、被搬送物に収容された内容物を取り出す取出位置で被搬送物を載置できるようにした取出棚を設けた物流用棚装置において、前記取出棚を搬送棚本体に基端側を枢着した揺動レバーの先端側に取り付けることにより、取出棚に載置した被搬送物を所定の角度傾斜させた状態で保持できるようにするとともに、前記供給棚の出口位置に先端側が上方に持ち上がるように揺動可能に形成した揺動棚を設け、前記取出棚の後端部により揺動棚の下面を支持することにより揺動棚の先端側が上方に持ち上がるようにしたことを特徴とする。
【０００８】
この場合において、搬送棚本体に、被搬送物を搬出する排出棚を設けることができる。
【発明の効果】
【０００９】
本発明の物流用棚装置によれば、搬送棚本体に、供給棚から搬送されてくる被搬送物を順次受け入れ、被搬送物に収容された内容物を取り出す取出位置で被搬送物を載置できるようにした取出棚を設けた物流用棚装置において、前記取出棚を基端側を搬送棚本体に枢着した揺動レバーの先端側に取り付けることにより、取出棚に載置した被搬送物を所定の角度傾斜させた状態で保持できるようにするとともに、前記供給棚の出口位置に先端側が上方に持ち上がるように揺動可能に形成した揺動棚を設け、前記取出棚の後端部により揺動棚の下面を支持することにより揺動棚の先端側が上方に持ち上がるようにしているので、供給棚から搬送されてくる被搬送物を順次受け入れ、被搬送物に収容された内容物を取り出す取出位置で被搬送物を載置できるようにした取出棚を設けるようにしながら、特別な電気供給設備やシリンダ装置用配管設備を必要とせず、レイアウトを変更する場合の移動を簡単に行うことができる物流用棚装置を提供することができる。
そして、特に、取出棚に載置した被搬送物を所定の角度傾斜させた状態で保持できるようにするとともに、前記供給棚の出口位置に先端側が上方に持ち上がるように揺動可能に形成した揺動棚を設け、前記取出棚の後端部により揺動棚の下面を支持することにより揺動棚の先端側が上方に持ち上がるようにしているので、取出棚に載置した被搬送物に収容された内容物を取り出しやすくするとともに、供給棚から取出棚に被搬送物を受け入れる際に、後続の被搬送物を揺動棚の位置に保持し、後続の被搬送物が取出棚側に移動することを確実に防止することができる。
【００１０】
また、搬送棚本体に、被搬送物を搬出する排出棚を設けることにより、被搬送物に収容された内容物を取り出して空になった被搬送物を簡易に搬出することができる。
【発明を実施するための最良の形態】
【００１１】
以下、本発明の物流用棚装置の実施の形態を、図面に基づいて説明する。
【００１２】
図１〜図３に、本発明の物流用棚装置の一実施例を示す。
この物流用棚装置は、搬送棚本体１に、供給棚２から搬送されてくる被搬送物Ｗを順次受け入れ、被搬送物Ｗに収容された内容物を取り出す取出位置で被搬送物Ｗを載置できるようにした取出棚３を設け、さらに、必要に応じて、被搬送物Ｗを搬出する排出棚４を設けるようにしている。
【００１３】
そして、この物流用棚装置は、取出棚３を搬送棚本体１の桟１１に基端側を枢着した揺動レバー１２の先端側に枢着して取り付けることにより、取出棚３に載置した被搬送物Ｗを所定の角度傾斜させた状態で保持できるようにするとともに、供給棚２の出口位置に先端側が上方に持ち上がるように基端側を供給棚２に枢着することにより揺動可能に形成した揺動棚２１を設け、取出棚３の後端部３５により揺動棚２１の下面を支持することにより揺動棚２１の先端側が上方に持ち上がるようにしている。
【００１４】
この場合において、特に限定されるものではないが、搬送棚本体１は、パイプ部材とその連結具とから構成されるとともに、供給棚２及び排出棚４には、必要に応じて、被搬送物Ｗの搬送を円滑に行うことができるように、ローラ部材を配設するようにする。
【００１５】
また、取出棚３は、被搬送物Ｗが載置される載置部３１と、載置部３１に載置された被搬送物Ｗの前面を支持する支持部３２と、被搬送物Ｗに収容された内容物を取り出す取出位置で被搬送物Ｗを載置した状態で、搬送棚本体１に配設した当接片１４に当接して取出棚３の姿勢を安定的に維持するようにするための当接部３３と、取出棚３を引き出すようにしたり、押し戻すようにするための手動操作部３４とを備えるようにする。
【００１６】
また、揺動レバー１２は、搬送棚本体１の桟１１に基端側を枢着し、桟１１に配設したストッパ片１３ａ、１３ｂによって、その揺動範囲が規制されるようにする。
【００１７】
また、搬送棚本体１の前面位置には、被搬送物Ｗに収容された内容物を取り出して空になった被搬送物Ｗを排出棚４を介して搬出する際に、被搬送物Ｗを仮置きするための仮置き台５を配設することができる。
【００１８】
次に、この物流用棚装置の動作について説明する。
まず、図１及び図３に示すように、搬送方向上流側の供給棚２の始端から被搬送物Ｗを順次供給すると、被搬送物Ｗは、供給棚２の揺動棚２１を越えて、取出棚３に達し、取出棚３の支持部３２によって被搬送物Ｗの前面が支持されることにより停止する。
【００１９】
次に、図２に示すように、取出棚３の手動操作部３４を作業者が手動により取出棚３を引き出すように操作すると、取出棚３に達していた被搬送物Ｗは、取出棚３と共に移動し（このとき、後続の被搬送物Ｗも同様に移動する。）、取出棚３に載置されるとともに、後続の先頭の被搬送物Ｗは、供給棚２の揺動棚２１に載置される。
そして、取出棚３の手動操作部３４を作業者が持って取出棚３の前面側を下方に移行させることにより、搬送棚本体１の桟１１に基端側を枢着した揺動レバー１２の先端側に枢着して取り付けられている取出棚３は、被搬送物Ｗに収容された内容物を取り出す取出位置で、取出棚３に載置した被搬送物Ｗを所定の角度傾斜させた状態で保持されるようにする。これにより、取出棚３に載置した被搬送物Ｗに収容された内容物を取り出しやすくすることができる。
このとき、取出棚３の当接部３３が搬送棚本体１に配設した当接片１４に当接することにより、取出棚３の姿勢を安定的に維持することができる。
また、供給棚２の出口位置に設けられた先端側が上方に持ち上がるように揺動可能に形成した揺動棚２１は、取出棚３の後端部３５により揺動棚２１の下面を支持することにより揺動棚２１の先端側が上方に持ち上げられる。これにより、供給棚２から取出棚３に被搬送物Ｗを受け入れる際に、後続の被搬送物Ｗを揺動棚２１の位置に保持し、後続の被搬送物Ｗが取出棚３側に移動することを確実に防止することができる。
【００２０】
取出棚３に載置された被搬送物Ｗは、例えば、被搬送物Ｗに箱詰めされた電気部品等の内容物を作業者が順次取り出し、組立作業を行う。
このとき、揺動レバー１２は、取出棚３が引き出されていない状態と、引き出された状態との間に動作の死点が形成されるようにしているため、被搬送物Ｗの重量の変化等に影響されることなく、取出棚３の姿勢を安定的に維持することができる。
【００２１】
そして、被搬送物Ｗに箱詰めされた電気部品等の内容物を取り出した後、被搬送物Ｗに収容された内容物を取り出して空になった被搬送物（空箱）Ｗを、取出棚３から持ち上げ、搬送棚本体１の前面位置に配設した仮置き台５に仮置きし、排出棚４を介して搬出するようにする。
【００２２】
その後、取出棚３の手動操作部３４を作業者が持って取出棚３の前面側を上方に移行させながら、作業者が手動により取出棚３を押し戻すように操作すると、取出棚３及び供給棚２の揺動棚２１は、図１及び図３に示す元の位置に復帰し、被搬送物Ｗは、供給棚２の揺動棚２１を越えて、取出棚３に達し、取出棚３の支持部３２によって被搬送物Ｗの前面が支持されることにより停止する。
【００２３】
以下、同様にして、搬送方向上流側の供給棚２から搬送されてくる被搬送物Ｗを、取出棚３に順次受け入れ、被搬送物Ｗに収容された内容物を取り出す等の必要な作業を行った後、被搬送物Ｗに収容された内容物を取り出して空になった被搬送物（空箱）Ｗを、排出棚４を介して搬出することを繰り返すようにする。
【００２４】
このように、この物流用棚装置は、供給棚２から搬送されてくる被搬送物Ｗを順次受け入れ、被搬送物Ｗに収容された内容物を取り出す取出位置で被搬送物Ｗを載置できるようにした取出棚３を設けるようにしながら、特別な電気供給設備やシリンダ装置用配管設備を必要とせず、レイアウトを変更する場合の移動を簡単に行うことができる構成とすることができる。
【００２５】
以上、本発明の物流用棚装置について、その実施例に基づいて説明したが、本発明は上記実施例に記載した構成に限定されるものではなく、その趣旨を逸脱しない範囲において適宜その構成を変更することができるものである。
【産業上の利用可能性】
【００２６】
本発明の物流用棚装置は、特別な電気供給設備やシリンダ装置用配管設備を必要とせず、レイアウトを変更する場合の移動を簡単に行うことができることから、例えば、電機製品の組立工場において箱詰めされた電気部品を作業者が取り出して所定の組立作業をするため等に用いられる物流用棚装置の用途に好適に用いることができる。
【図面の簡単な説明】
【００２７】
【図１】本発明の物流用棚装置の一実施例の全体（取出棚が引き出されていない状態）を示す左側面図である。
【図２】同装置の全体（取出棚が引き出された状態）を示す左側面図である。
【図３】同装置の要部（取出棚が引き出されていない状態）を示す斜視図である。
【００２８】
１    搬送棚本体
１１  桟
１２  揺動レバー
１３ａ  ストッパ片
１３ｂ  ストッパ片
１４  当接片
２    供給棚
２１  揺動棚
３    取出棚
３１  載置部
３２  支持部
３３  当接部
３４  手動操作部
３５  後端部
４    排出棚
５    仮置き台
Ｗ    被搬送物
【図１】
2006199382.tif 000003
【図２】
2006199382.tif 000004
【図３】
2006199382.tif 000005